(57)【要約】【課題】外部充電が可能な車両において、充電前冷却制御の実施可否の問い合わせに対するユーザの確認頻度を削減する。【解決手段】車両１００は、外部電源５００からの電力を用いて搭載された蓄電装置１１０を充電が可能に構成される。車両は、蓄電装置を冷却するための冷却装置１７０，１８０と、冷却装置を制御するためのＥＣＵ３００とを備える。ＥＣＵは、蓄電装置の温度が所定温度よりも高い場合に、充電前冷却の実行可否をユーザに問合せ、ユーザからの冷却実行の指示に従って充電前冷却を実行する。ＥＣＵは、ユーザからの冷却拒否の指示の履歴に基づいて、ユーザへの充電前冷却の実行可否の問合せ頻度を変更する。【選択図】図７
2016085804.tif 000002
【特許請求の範囲】
【請求項１】
外部電源からの電力を用いて充電が可能な蓄電装置と、
前記蓄電装置を冷却するための冷却装置と、
前記蓄電装置の温度が所定温度よりも高い場合に、前記蓄電装置の充電に先立って前記蓄電装置を冷却する充電前冷却の実行可否をユーザに問合せるとともに、ユーザからの冷却実行の指示に従って前記充電前冷却を実行するように構成された制御装置とを備え、
前記制御装置は、ユーザからの冷却拒否の指示の履歴に基づいて、ユーザへの充電前冷却の実行可否の問合せ頻度を変更する、電源システム。
【請求項２】
前記制御装置は、ユーザからの冷却拒否が指示された場合には、所定期間の間、ユーザへの実行可否の問合せを非実行とする、請求項１に記載の電源システム。
【請求項３】
前記制御装置は、前記所定期間が経過した場合には、ユーザへの実行可否の問合せを再開する、請求項２に記載の電源システム。
【請求項４】
ユーザの操作により、前記充電前冷却を非実行に設定することが可能に構成された設定部をさらに備え、
前記制御装置は、前記設定部によって前記充電前冷却が非実行に設定されている間は、ユーザへの実行可否の問合せを非実行とする、請求項１に記載の電源システム。
【請求項５】
前記制御装置は、ユーザへの実行可否の問合せが非実行とされている期間中に、前記充電前冷却の未実施回数が規定回数を上回った場合には、ユーザへの実行可否の問合せを再開する、請求項２〜４のいずれか１項に記載の電源システム。
【請求項６】
前記制御装置は、前記充電前冷却の未実施によって生じる前記蓄電装置の劣化進度を推定し、前記劣化進度が所定値を上回った場合には、ユーザへの実行可否の問合せが非実行とされている期間中であっても、ユーザへの実行可否の問合せを再開する、請求項１〜５のいずれか１項に記載の電源システム。
【請求項７】
ユーザへ情報を通知する通知部をさらに備え、
前記制御装置は、前記充電前冷却の未実施によって生じる前記蓄電装置の劣化進度を推定し、前記劣化進度が所定値を上回った場合には前記通知部によって前記充電前冷却の実行をユーザに促す情報を通知する、請求項１〜５のいずれか１項に記載の電源システム。
【請求項８】
前記制御装置は、前記蓄電装置の冷却が十分なされた場合の劣化を考慮した前記蓄電装置の推定容量維持率からの容量維持率の低下量を前記劣化進度として推定する、請求項６または７に記載の電源システム。
【請求項９】
前記制御装置は、前記充電前冷却の未実施期間中における、前記蓄電装置の温度、前記蓄電装置の充電状態、およびその状態での放置時間に基づいて、前記容量維持率の低下量を推定する、請求項８に記載の電源システム。
【請求項１０】
外部電源からの電力を用いて充電が可能な蓄電装置を搭載した車両であって、
前記蓄電装置を冷却するための冷却装置と、
前記蓄電装置の充電に先立って前記蓄電装置を冷却する充電前冷却の実行可否をユーザに問合せるとともに、ユーザからの冷却実行の指示に従って前記充電前冷却を実行するように構成された制御装置とを備え、
前記制御装置は、ユーザからの冷却拒否の指示の履歴に基づいて、ユーザへの充電前冷却の実行可否の問合せ頻度を変更する、車両。
【発明の詳細な説明】
【技術分野】
【０００１】
本発明は、電源システムおよびそれを搭載した車両に関し、より特定的には、外部電源からの電力を用いて充電が可能な車両における蓄電装置の冷却制御に関する。
【背景技術】
【０００２】
プラグインハイブリッド車や電気自動車等の電動車両は、車両外部の電源から供給された電力を用いて車両に搭載された蓄電装置（バッテリ）を充電する外部充電が可能に構成されている。このような外部充電が可能に構成された車両において、バッテリの温度を調整するための各種構成が提案されている。
【０００３】
特開２０１４−０１８００２号公報（特許文献１）には、外部充電が可能な車両において、充電動作中の２次電池や充電部の発熱による温度上昇を抑制するための冷却部を有する構成が開示されている。特許文献１に開示された車両においては、充電中の冷却部の騒音と、満充電までの所要時間とを勘案して、冷却部の出力レベルをユーザが変化できるようにされている。
【０００４】
また、特開２００９−０３８９５８号公報（特許文献２）には、バッテリや充放電用の電気機器の冷却機構を有する外部受電が可能な車両において、充放電中の車両の周囲の音量に応じて、冷却機構から発生する音量を自動的に調整する構成が開示されている。
【先行技術文献】
【特許文献】
【０００５】
【特許文献１】特開２０１４−０１８００２号公報
【特許文献２】特開２００９−０３８９５８号公報
【発明の概要】
【発明が解決しようとする課題】
【０００６】
一般に、バッテリは、高温または高ＳＯＣ（State  Of  Charge）の状態において放置されると劣化が進行することが知られている。バッテリは充放電に伴い発熱するので、ユーザが電動車両を運転して外出先から帰宅した際には、バッテリが高温になっている場合がある。外部充電が開始されるまでの待機時間に、バッテリが高温となったままの状態で放置されると、バッテリの劣化が進行してしまうおそれがある。
【０００７】
このような課題への対策として、空調装置を制御することにより車室内を冷房し、車室内の冷やされた空気を冷却ファンを用いてバッテリへと送ることによって、外部充電に先立ってバッテリを冷却することが考えられる。以下、この制御を「充電前冷却制御」と称する。
【０００８】
この充電前冷却制御は、基本的には、外部電源（たとえば、ユーザの家庭の商用電源）からの電力を用いて実行されるが、車両を数年程度の短期間しか使用しないユーザにとっては、電池劣化を抑制して延命化を図るよりもＥＶ（Electric Vehicle）走行による燃料費用の低減の方がメリットがある場合があり、家庭の電力を使用してまで電池劣化を抑制することを望まない場合がある。そのため、外部充電を実行する度ごとに、充電前冷却を実施するか否かをユーザに確認することが必要となる。
【０００９】
しかしながら、特に充電前冷却制御の実施を望まないユーザにとっては、このような毎回の確認動作がわずらわしく感じてしまう場合がある。また、ユーザが、充電前冷却を長期間実行しない場合には、電池劣化によって満充電容量が低下している可能性があるが、そのような状態をユーザに通知できないおそれがある。
【００１０】
本発明は、このような課題を解決するためになされたものであって、その目的は、外部充電が可能な車両において、充電前冷却制御の実施可否の問い合わせに対するユーザの手間を削減することである。また、本発明のさらなる目的は、充電前冷却が長期間実行されなかった場合においても、電池の劣化状態を適切にユーザに通知することである。
【課題を解決するための手段】
【００１１】
本発明による電源システムは、外部電源からの電力を用いて充電が可能な蓄電装置と、蓄電装置を冷却するための冷却装置と、冷却装置を制御するための制御装置とを備える。制御装置は、蓄電装置の温度が所定温度よりも高い場合に、蓄電装置の充電に先立って蓄電装置を冷却する充電前冷却の実行可否をユーザに問合せるとともに、ユーザからの冷却実行の指示に従って充電前冷却を実行するように構成される。制御装置は、ユーザからの冷却拒否の指示の履歴に基づいて、ユーザへの充電前冷却の実行可否の問合せ頻度を変更する。
【００１２】
このような構成とすることによって、外部充電が可能な電源システムにおいて、蓄電装置の温度が所定温度よりも高い場合に、充電前冷却を実行すべきか否かをユーザに問合せ、選択させることができる。そして、ユーザによる冷却拒否の指示がなされた場合には、その履歴にもとづいてユーザへの問合せ頻度を変更することができるので、充電前冷却を望まないユーザに対して、充電前冷却の実行可否の問合せを毎回行なうことが回避され、ユーザのわずらわしさを低減することができる。
【００１３】
好ましくは、制御装置は、ユーザからの冷却拒否が指示された場合には、所定期間の間、ユーザへの実行可否の問合せを非実行とする。
【００１４】
このような構成とすることによって、ユーザからの冷却拒否が指示された場合に、所定期間中のユーザへの実行可否の問合せ頻度を低減できる。
【００１５】
好ましくは、制御装置は、所定期間が経過した場合には、ユーザへの実行可否の問合せを再開する。
【００１６】
このような構成とすることによって、ユーザからの冷却拒否が指示された場合であっても、所定期間後にはユーザへの実行可否の問合せができるので、蓄電装置が過度に劣化してしまうことを防止できる。
【００１７】
好ましくは、電源システムは、ユーザの操作により、充電前冷却を非実行に設定することが可能に構成された設定部をさらに備える。制御装置は、設定部によって充電前冷却が非実行に設定されている間は、ユーザへの実行可否の問合せを非実行とする。
【００１８】
このような構成とすることによって、設定部によって充電前冷却が非実行に設定されている場合には、充電前冷却が非実行にできるとともに、充電前冷却の非実行の期間中においては、ユーザへの実行可否の問合せ頻度を低減できる。
【００１９】
好ましくは、制御装置は、ユーザへの実行可否の問合せが非実行とされている期間中に、充電前冷却の未実施回数が規定回数を上回った場合には、ユーザへの実行可否の問合せを再開する。
【００２０】
このような構成とすることによって、ユーザへの実行可否の問合せが非実行とされている期間であっても、充電前冷却の未実施回数が多くなった場合には、ユーザへの実行可否の問合せが再開される。そのため、蓄電装置の過度な劣化が抑制できる。
【００２１】
好ましくは、制御装置は、充電前冷却の未実施によって生じる蓄電装置の劣化進度を推定し、劣化進度が所定値を上回った場合には、ユーザへの実行可否の問合せが非実行とされている期間中であっても、ユーザへの実行可否の問合せを再開する。
【００２２】
このような構成とすることによって、充電前冷却の長期間の未実施によって生じる蓄電装置の推定劣化進度を用いて、ユーザへの実行可否の問合せの再開が判断される。そのため、蓄電装置の過度な劣化が抑制できる。
【００２３】
好ましくは、電源システムは、ユーザへ情報を通知する通知部をさらに備える。制御装置は、充電前冷却の未実施によって生じる蓄電装置の劣化進度を推定し、劣化進度が所定値を上回った場合には通知部によって充電前冷却の実行をユーザに促す情報を通知する。
【００２４】
このような構成とすることによって、充電前冷却が長期間未実施とされた場合に、蓄電装置の劣化が進行している場合には、充電前冷却の実行をユーザに促すことができる。これによって、蓄電装置の過度な劣化が抑制できる。
【００２５】
好ましくは、制御装置は、蓄電装置の冷却が十分なされた場合の劣化を考慮した蓄電装置の推定容量維持率からの容量維持率の低下量を劣化進度として推定する。
【００２６】
このように、容量維持率の低下量を劣化進度として採用することによって、蓄電装置の過度な劣化が抑制できる。
【００２７】
好ましくは、制御装置は、充電前冷却の未実施期間中における、蓄電装置の温度、蓄電装置の充電状態、およびその状態での放置時間に基づいて、容量維持率の低下量を推定する。
【００２８】
蓄電装置の劣化は、蓄電装置の温度、蓄電装置の充電状態、およびその状態での放置時間によって影響を受けるので、このような構成とすることによって、蓄電装置の劣化状態をより正確に推定することができる。
【００２９】
本発明による車両は、外部電源からの電力を用いて充電が可能な蓄電装置を搭載した車両である。車両は、蓄電装置を冷却するための冷却装置と、冷却装置を制御するための制御装置とを備える。制御装置は、蓄電装置の充電に先立って蓄電装置を冷却する充電前冷却の実行可否をユーザに問合せるとともに、ユーザからの冷却実行の指示に従って充電前冷却を実行するように構成される。制御装置は、ユーザからの冷却拒否の指示の履歴に基づいて、ユーザへの充電前冷却の実行可否の問合せ頻度を変更する。
【発明の効果】
【００３０】
本発明によれば、外部充電が可能な車両において、充電前冷却制御の実施可否の問い合わせに対するユーザの手間を削減することが可能となる。また、本発明においては、充電前冷却が長期間実行されなかった場合においても、電池の劣化状態を適切にユーザに通知することができる。
【図面の簡単な説明】
【００３１】
【図１】本実施の形態に従う電源システムを搭載した車両の全体ブロック図である。
【図２】充電前冷却制御の概要を説明するための図である。
【図３】実施の形態１に従う充電前冷却制御の概略処理を説明するためのフローチャートである。
【図４】図３のステップＳ２０における充電前冷却処理の詳細を説明するためのフローチャートである。
【図５】図４のステップＳ２００における通知判定処理の第１の例を説明するためのフローチャートである。
【図６】図４のステップＳ２００における通知判定処理の第２の例を説明するためのフローチャートである。
【図７】図４のステップＳ２００における通知判定処理の第３の例を説明するためのフローチャートである。
【図８】蓄電装置の容量維持率に対するＳＯＣの影響を説明するための図である。
【図９】蓄電装置の容量維持率に対する温度の影響を説明するための図である。
【図１０】実施の形態２に従う充電前冷却制御における電池劣化の推定手法を説明するための第１の図である。
【図１１】実施の形態２に従う充電前冷却制御における電池劣化の推定手法を説明するための第２の図である。
【図１２】実施の形態２に従う充電前冷却制御の概略処理を説明するためのフローチャートである。
【図１３】図１２のステップＳ２０における充電前冷却処理を説明するためのフローチャートである。
【発明を実施するための形態】
【００３２】
以下、本発明の実施の形態について、図面を参照しながら詳細に説明する。なお、図中同一または相当部分には同一符号を付してその説明は繰り返さない。
【００３３】
以下に示す実施の形態においては、電動車両の１つの例として、外部充電が可能に構成されたハイブリッド車であるプラグインハイブリッド車について説明する。しかし、本発明が適用可能な車両は外部充電が可能に構成されていればこれに限定されるものではなく、エンジンを搭載しない電気自動車や燃料電池車であってもよい。
【００３４】
［実施の形態１］
（車両システムの説明）
図１は、本実施の形態に従う電源システムを搭載した車両１００の全体ブロック図である。図１を参照して、車両１００は、蓄電装置１１０と、システムメインリレー（System  Main  Relay：ＳＭＲ）１１５と、駆動装置であるＰＣＵ（Power  Control  Unit）１２０と、モータジェネレータ１３０，１３５と、動力伝達ギヤ１４０と、内燃機関であるエンジン１５０と、駆動輪１６０と、空調装置１７０と、冷却ファン１８０と、制御装置であるＥＣＵ（Electronic  Control  Unit）３００とを備える。
【００３５】
蓄電装置１１０は、充放電可能に構成された電力貯蔵要素である。蓄電装置１１０は、たとえば、リチウムイオン電池、ニッケル水素電池または鉛蓄電池などの二次電池、あるいは電気二重層キャパシタなどの蓄電素子を含んで構成される。
【００３６】
蓄電装置１１０は、電力線ＰＬ１，ＮＬ１を介してＰＣＵ１２０に接続される。そして、蓄電装置１１０は、車両１００の駆動力を発生させるための電力をＰＣＵ１２０に供給する。また、蓄電装置１１０は、モータジェネレータ１３０，１３５で発電された電力を蓄電する。蓄電装置１１０の出力はたとえば２００Ｖ程度である。
【００３７】
蓄電装置１１０には、電圧センサ，電流センサ，温度センサを含む電池センサ１９５が設けられており、これらのセンサによって検出された、蓄電装置１１０の電圧ＶＢ、電流ＩＢ、および温度ＴＢをＥＣＵ３００へ出力する。
【００３８】
ＳＭＲ１１５は、蓄電装置１１０の正極端と電力線ＰＬ１とに接続されるリレー、および蓄電装置１１０の負極端と電力線ＮＬ１とに接続されるリレーを含む。ＳＭＲ１１５は、ＥＣＵ３００からの制御信号ＳＥ１に基づいて、蓄電装置１１０とＰＣＵ１２０との間で電力の供給と遮断とを切換える。
【００３９】
ＰＣＵ１２０は、蓄電装置１１０からの電力を用いてモータジェネレータ１３０，１３５を駆動するための駆動装置であり、たとえばコンバータおよびインバータ（いずれも図示せず）を含んで構成される。
【００４０】
コンバータは、ＥＣＵ３００からの制御信号ＰＷＣに基づいて制御され、電力線ＰＬ１，ＮＬ１によって印加される電圧を変換する。インバータは、ＥＣＵ３００からの制御信号ＰＷＩに基づいて制御され、コンバータからの直流電力を交流電力に変換して、モータジェネレータ１３０，１３５を駆動する。
【００４１】
モータジェネレータ１３０，１３５は交流回転電機であり、たとえば、永久磁石が埋設されたロータを備える永久磁石型同期電動機である。モータジェネレータ１３０，１３５の出力トルクは、減速機や動力分割機構を含んで構成される動力伝達ギヤ１４０を介して駆動輪１６０に伝達されて、車両１００を走行させる。モータジェネレータ１３０，１３５は、車両１００の回生制動動作時には、駆動輪１６０の回転力によって発電することができる。そして、その発電電力は、ＰＣＵ１２０によって蓄電装置１１０の充電電力に変換される。
【００４２】
また、モータジェネレータ１３０，１３５は動力伝達ギヤ１４０を介してエンジン１５０とも結合される。そして、ＥＣＵ３００により、モータジェネレータ１３０，１３５およびエンジン１５０が協調的に動作されて必要な車両駆動力が発生される。さらに、モータジェネレータ１３０，１３５は、エンジン１５０の回転により発電が可能であり、この発電電力を用いて蓄電装置１１０を充電することができる。エンジン１５０は、制御信号ＤＲＶを用いてＥＣＵ３００により制御される。
【００４３】
空調装置１７０は、ＥＣＵ３００によって制御されて、冷房または暖房することにより車室内を空調する。空調装置１７０は、電力線ＰＬ１，ＮＬ１に接続され、蓄電装置１１０からの電力によって駆動される。
【００４４】
冷却ファン１８０は、蓄電装置１１０の近傍に設けられ、車室内の空気を蓄電装置１１０へ送風するためのファンである。たとえば、図２に示されるように、冷却ファン１８０は、リヤシートの後面に配置された蓄電装置１１０に搭載される。冷却ファン１８０は、空調装置１７０によって冷却された車室１０２内の空気を、冷却通路１０３を通して蓄電装置１１０に送風し、蓄電装置１１０を冷却する。冷却ファン１８０は、ＥＣＵ３００によって制御される。なお、上記の空調装置１７０および冷却ファン１８０は、本発明における「冷却装置」に対応する。
【００４５】
タッチパネル１９０は、ユーザとのインターフェースであり、ユーザから各機器の設定・操作の入力を受けるとともに、ユーザに対して車両の状態やアラーム等を表示する。
【００４６】
冷却拒否スイッチ１８５は、後述する充電前冷却制御を非実行とするためのスイッチである。この冷却拒否スイッチ１８５がオンに設定されると、充電前冷却制御が非実行に設定される。なお、冷却拒否スイッチ１８５は、個別のスイッチとして形成されてもよいし、タッチパネル１８０内で設定されるスイッチとして形成されてもよい。冷却拒否スイッチ１８５は、本発明における「設定部」に対応する。
【００４７】
車両１００は、外部電源５００からの電力によって蓄電装置１１０を充電するための構成として、充電リレーＣＨＲ２１０と、ＡＣ／ＤＣコンバータ２２０と、接続部であるインレット２３０とを含む。
【００４８】
インレット２３０には、充電ケーブル４００の充電コネクタ４２０が接続される。そして、外部電源５００からの電力が、充電ケーブル４００を介して車両１００に伝達される。
【００４９】
充電ケーブル４００は、充電コネクタ４２０に加えて、外部電源５００のコンセント５１０に接続するためのプラグ４１０と、充電コネクタ４２０およびプラグ４１０とを接続するケーブル部４３０とを含む。
【００５０】
ＡＣ／ＤＣコンバータ２２０は、ＥＣＵ３００からの制御信号ＰＷＤによって制御され、インレット２３０から供給される交流電力を、蓄電装置１１０の充電電力に変換する。
【００５１】
ＡＣ／ＤＣコンバータ２２０により変換された直流電力は、充電リレー（ＣＨＲ）２１０を介して、蓄電装置１１０に供給される。ＣＨＲ２１０は、ＥＣＵ３００からの制御信号ＳＥ２によって制御され、ＡＣ／ＤＣコンバータ２２０と蓄電装置１１０との間の電力の供給と遮断とを切換える。
【００５２】
ＥＣＵ３００は、いずれも図１には図示しないがＣＰＵ（Central  Processing  Unit）、記憶装置および入出力バッファを含み、各センサ等からの信号の入力や各機器への制御信号の出力を行なうとともに、蓄電装置１１０および車両１００の各機器の制御を行なう。なお、これらの制御については、ソフトウェアによる処理に限られず、専用のハードウェア（電子回路）で処理することも可能である。
【００５３】
ＥＣＵ３００は、電池センサ１９５からの電圧ＶＢ，電流ＩＢ，温度ＴＢの検出値に基づいて、蓄電装置１１０の充電状態ＳＯＣを演算する。
【００５４】
なお、図１においては、ＥＣＵ３００として１つの制御装置を設ける構成としているが、たとえば、ＰＣＵ１２０用の制御装置や蓄電装置１１０用の制御装置などのように、機能ごとまたは制御対象機器ごとに個別の制御装置を設ける構成としてもよい。
【００５５】
（充電前冷却制御の説明）
上記のような電動車両１００では、蓄電装置１１０の充放電が行なわれると、それに伴って内部の化学反応により発熱する。一般的に、蓄電装置１１０にようなバッテリは、高温または高ＳＯＣの状態で放置されると、劣化が進行してしまうことが知られている。このような劣化の進行を抑制して蓄電装置１１０の延命化を図るために、本実施の形態における車両１００においては、充電ケーブル４００がインレット２３０に接続されて外部充電の準備ができると、外部充電の実行に先立って、空調装置１７０を用いて車室内を冷房するとともに、冷却ファン１８０を用いて冷却された車室内の空気を蓄電装置１１０へ送風する「充電前冷却制御」を実行する。
【００５６】
図３は、この充電前冷却制御の概略処理を説明するためのフローチャートである。図３および後述するフローチャートは、ＥＣＵ３００に予め格納されたプログラムが所定周期で実行されることによって処理が実現される。あるいは、一部のステップについては、専用のハードウェア（電子回路）を構築して処理を実現することも可能である。
【００５７】
図３を参照して、ＥＣＵ３００は、ステップ（以下、ステップをＳと略す。）１０にて、電池センサ１９５からの蓄電装置１１０の温度ＴＢが、所定の基準値（たとえば、３５℃）以上であるか否かを判定する。
【００５８】
温度ＴＢが基準値以上である場合（Ｓ１０にてＹＥＳ）は、ＥＣＵ３００は、蓄電装置１１０が高温状態であると判定し、Ｓ２０に処理を進めて、充電前冷却処理を実行する。充電前冷却処理の詳細については、図４以降において説明する。充電前冷却処理が完了すると、処理がＳ３０に進められる。
【００５９】
一方、温度ＴＢが基準値未満である場合（Ｓ１０にてＮＯ）は、ＥＣＵ３００は、蓄電装置１１０は高温状態でないと判定して、Ｓ２０をスキップしてＳ３０に処理を進める。
【００６０】
Ｓ３０において、ＥＣＵ３００は、ＣＨＲ２１０を閉成するとともに、ＡＣ／ＤＣコンバータ２２０を駆動して、外部充電を実行する。なお、Ｓ３０の処理は、充電前冷却処理が完了した直後に実行されてもよいし、たとえばユーザにより次回の運転時刻が設定されているようないわゆるタイマー充電がなされる場合には、所定の開始時刻の到来時に開始されてもよい。
【００６１】
このような、冷却前充電制御においては、基本的には、蓄電装置からの電力ではなく、外部電源からの電力を用いて空調装置および冷却ファンが駆動される。しかしながら、たとえば、車両を数年程度の短期間しか使用しないユーザにとっては、電池劣化を抑制して延命化を図るよりもＥＶ（Electric Vehicle）走行による燃料費用の低減の方がメリットがある場合があり、家庭の電力を使用してまで電池劣化を抑制することを望まない場合がある。そのため、冷却前充電制御の実行に同意するか否かを、ユーザに問い合わせることが必要となる。
【００６２】
一方で、特に充電前冷却制御の実行を望まないユーザにとっては、このような同意の確認動作が外部充電のたびに行なわれると、わずらわしく感じてしまう場合がある。そのため、本実施の形態１においては、充電前冷却制御の実行を望まないユーザに対しては、冷却前充電制御の実行についてのユーザへの問合せ頻度を減らすことによって、ユーザのわずらわしさを抑制する。
【００６３】
図４は、本実施の形態１に従って実行される、図３のＳ２０で示した充電前冷却処理の詳細を説明するためのフローチャートである。
【００６４】
図１および図４を参照して、ＥＣＵ３００は、Ｓ２０が実行されると、まずＳ２００にて、ユーザに充電前冷却制御の実行についての問合せをユーザに対して通知するか否かの判定（通知判定）を行なう。
【００６５】
このＳ２００の通知判定の一例を図５のフローチャートに示す。図５の例においては、一度充電前冷却制御が拒否された場合には、所定の期間（たとえば３日間）の間は、再度の通知は行われない。
【００６６】
図５を参照して、ＥＣＵ３００は、Ｓ２０２にて、前回の充電前冷却制御の実行についての通知時に、ユーザが充電前冷却制御の実行を拒否し、非実行を選択したか否かを判定する。
【００６７】
ユーザにより充電前冷却制御の実行が許可されていた場合（Ｓ２０２にてＮＯ）は、処理がＳ２０６に進められて、ＥＣＵ３００は、今回もユーザに通知すると判定して、処理を図４のルーチンに戻す。
【００６８】
一方、ユーザにより充電前冷却制御の実行が拒否されていた場合（Ｓ２０２にてＹＥＳ）は、処理がＳ２０４に進められて、ＥＣＵ３００は、前回ユーザにより拒否されたときからの経過期間が基準期間以上であるか否かを判定する。
【００６９】
上記の経過期間が基準期間未満である場合（Ｓ２０４にてＮＯ）は、処理がＳ２０８に進められて、ＥＣＵ３００は、ユーザに対して充電前冷却制御の実行の問合せ通知を行なわないと判定して、処理を図４のルーチンに戻す。
【００７０】
しかしながら、前回の通知時にユーザに拒否された場合であっても、あまりに長期間の間充電前冷却制御を非実施としたままにしておくと、ユーザが意図しない状態まで蓄電装置１１０の劣化が進行してしまうおそれがある。そのため、上記の経過期間が基準期間以上である場合（Ｓ２０４にてＹＥＳ）は、ユーザに充電前冷却制御が拒否された場合であっても、再度実行可否の問合せを実行すると判定し、処理を図４のルーチンに戻す。
【００７１】
再び図４を参照して、Ｓ２００の通知判定が完了すると、ＥＣＵ３００は、Ｓ２２０にて、通知判定処理においてユーザへの通知を行なう旨の判定がなされたか否かを判定する。
【００７２】
通知しないと判定された場合（Ｓ２２０にてＮＯ）は、処理がＳ２４０に進められて、ＥＣＵ３００はユーザに対する問合せを行なわず、充電前冷却を実行しないまま（Ｓ２７０）、図３の処理に戻す。
【００７３】
一方、通知すると判定された場合（Ｓ２２０にてＹＥＳ）は、処理がＳ２３０に進められて、ＥＣＵ３００は、ユーザに対して、充電前冷却制御を実行するか否かの問合せのメッセージをタッチパネル１９０に表示する。ユーザからの実施許可があった場合（Ｓ２５０にてＹＥＳ）は、処理がＳ２６０に進められて、ＥＣＵ３００は、空調装置１７０および冷却ファン１８０を駆動して充電前冷却制御を実行する。
【００７４】
なお、Ｓ２５０の問合せに対して、ユーザが実施拒否とした場合には、Ｓ２７０に処理が進められて、ＥＣＵ３００は、充電前冷却制御を実行しないまま処理を図３の処理に戻す。
【００７５】
このような処理に従って制御を行なうことによって、充電前冷却制御がユーザによって拒否された場合には、所定の期間は、充電前冷却制御の実施についての通知を非実行とすることによって、ユーザに対する通知頻度を低減することができる。
【００７６】
なお、図５の通知判定処理においては、充電前冷却制御の拒否が１回であっても、基準期間内は通知がなされないような例について説明したが、たとえば、Ｓ２０２において、ユーザからの拒否操作が所定回数連続して行われた場合に、基準期間内の通知がなされないようにしてもよい。
【００７７】
（変形例１）
変形例１においては、図１で示した冷却拒否スイッチ１８５が設置された構成において、ユーザが充電前冷却制御の実行を拒否するように設定した場合の例について説明する。冷却拒否スイッチ１８５がオンに設定されている場合には、ユーザは充電前冷却制御の実行を望んでいないため、基本的にはユーザへの問い合わせは行わずに、充電前冷却制御も実行されない。
【００７８】
しかしながら、たとえば、ユーザが意図せずに冷却拒否スイッチ１８５をオンとした場合や、一旦は冷却拒否スイッチ１８５をオンにしたもののユーザが冷却拒否スイッチ１８５をオフに戻し忘れてしまったような場合には、ユーザは充電前冷却制御の実行を望んでいたとしても、長期間充電前冷却制御が非実行のままとなってしまい、ユーザの意図に反して蓄電装置１１０の劣化が進行してしまう状態となる可能性がある。
【００７９】
そのため、本変形例１においては、冷却拒否スイッチがオンにされている場合であっても、充電前冷却制御が非実行（拒否）とされた回数が多くなったときには、改めてユーザの真意を確かめるべく、充電前冷却制御の実行の問合せを実行する。
【００８０】
図６は、変形例１における判定処理Ｓ２００Ａを説明するためのフローチャートである。図１および図６を参照して、ＥＣＵ３００は、Ｓ２１０にて、冷却拒否スイッチ１８５がオンされているか否かを判定する。
【００８１】
冷却拒否スイッチ１８５がオフ、すなわち、充電前冷却制御が許可されている場合（Ｓ２１０にてＮＯ）は、処理がＳ２１６に進められて、ＥＣＵ３００は、ユーザに対して充電前冷却制御の実行の問合せを行なうと判定し、処理を図４に戻す。
【００８２】
冷却拒否スイッチ１８５がオフ、すなわち、充電前冷却制御が拒否されている場合（Ｓ２１０にてＹＥＳ）は、処理がＳ２１２に進められて、ＥＣＵ３００は、通知拒否カウント値をインクリメントする。この通知拒否カウント値は、充電前冷却制御を実行すべきであるにもかかわらず、ユーザの指示によって非実行とされた回数を表す。
【００８３】
そして、ＥＣＵ３００は、Ｓ２１４にて、通知拒否カウント値が所定値以上であるか否かを判定する。通知拒否カウント値が所定値未満である場合（Ｓ２１４にてＮＯ）は、ＥＣＵ３００は、充電前冷却制御の非実行回数が少なく、非実行による劣化の進行がまだ小さいと判断して、処理をＳ２１８に進めて、ユーザへの通知を行なわないと判定し、処理を図４に戻す。
【００８４】
通知拒否カウント値が所定値以上である場合（Ｓ２１４にてＹＥＳ）は、ＥＣＵ３００は、充電前冷却制御を長期間非実行としていることによる劣化が進んでいる可能性があり、充電前冷却制御の拒否がユーザの真意であるかを確かめるために、ユーザへの通知を行なうと判定し、処理を図４に戻す。
【００８５】
その後、図４で説明したように、通知判定の結果に応じて、ユーザへの通知が行なわれ、さらに充電前冷却制御が実行される。なお、図６には示されていないが、充電前冷却制御が実行されると、通知拒否カウント値はゼロにリセットされる。
【００８６】
このような処理に従って制御を行なうことによって、冷却拒否スイッチが設けられる構成においては、冷却拒否スイッチをオンに設定しておくことによって、ユーザへの問合せ頻度が低減される。さらに、充電前冷却制御の非実行が多数回継続した場合には、ユーザの真意を確かめるために、冷却拒否スイッチがオンであってもユーザへの問合せが行なわれる。これによって、ユーザのスイッチの戻し忘れによる、蓄電装置の意図しない劣化を防止することができる。
【００８７】
（変形例２）
変形例２は、上述の図５および図６の処理を組み合わせた場合の例である。すなわち、冷却拒否スイッチ１８５がオンに設定されている場合（Ｓ２０２ＢにてＹＥＳ）は、通知拒否カウント値がインクリメントされ（Ｓ２１０Ｂ）、カウント値と所定値との比較（Ｓ２１２Ｂ）によって通知の可否が判定される（Ｓ２０８Ｂ，Ｓ２１４Ｂ）。
【００８８】
また、冷却拒否スイッチ１８５がオフに設定されている場合（Ｓ２０２にてＮＯ）は、前回の通知時において拒否されたか否か（Ｓ２０４Ｂ）、および拒否されていた場合には前回拒否されたときからの経過期間（Ｓ２０６Ｂ）に応じて、通知の可否が判定される（Ｓ２０８Ｂ，Ｓ２１４Ｂ）。
【００８９】
なお、図７中の破線の矢印で示したように、Ｓ２０６Ｂの経過期間と基準期間との比較において、経過期間が基準期間未満である場合（２０６ＢにてＮＯ）にも、通知拒否カウント値によって、さらに通知の可否を判定するようにしてもよい。このようにすることによって、充電前冷却制御を非実行とした回数が多い場合には、蓄電装置の劣化の進行が大きくなっている可能性があるために、所定の基準期間中であってもユーザへの問合せが実行されて、ユーザに注意を促すことが可能となる。
【００９０】
以上のように、実施の形態１においては、ユーザによる冷却拒否の指示の履歴に基づいて、ユーザへの充電前冷却制御の実行可否の問合せ頻度を変更することができる。
【００９１】
［実施の形態２］
実施の形態１においては、ユーザの指示または冷却拒否スイッチに基づいて、ユーザへの充電前冷却制御の実行可否の問合せを行なうとともに、所定期間あるいは充電前冷却制御の非実行回数に応じて、改めて実行可否の問合せを判断する例について説明した。
【００９２】
しかしながら、充電前冷却制御の非実行による劣化が進んで充電容量が低下してしまうと、ＥＶ距離の低下が著しくなってしまうおそれがある。
【００９３】
そのため、実施の形態２においては、充電前冷却制御の非実行による劣化を推定するとともに、劣化量が大きくなったと推定された場合には、ユーザに対して充電前冷却制御を実行するように促す通知を行ない、蓄電装置の保護を行なう例について説明する。
【００９４】
図８および図９は、ＳＯＣおよび電池温度の違いによる、放置時間と容量維持率との関係を示したものである。容量維持率とは、劣化していない（当初の）充電可能容量に対する、劣化後の充電可能容量の比率を表す。
【００９５】
図８は、電池温度を一定（６５℃）とした条件において、ＳＯＣ量の違いによる劣化の進行度合いを示したものである。一方、図９は、ＳＯＣを一定（８０％）とした条件において、温度の違いによる劣化の進行度合いを示したものである。
【００９６】
これらからわかるように、ＳＯＣが大きい状態で放置されるほど劣化の度合いが大きくなり（図８）、また、電池温度が高いほど劣化の度合いが大きくなることがわかる（図９）。
【００９７】
そして、実験等によって得られたこのようなデータを利用することによって、図１０に示されるような、電池温度と、ＳＯＣと、放置時間とをパラメータとした容量維持率の低下量ΔＡｈの算出テーブルを作成することができる。
【００９８】
実施の形態２においては、充電前冷却制御を非実行とした場合に、そのときの放置状態における容量維持率の低下量ΔＡｈを図１０のようなテーブルを用いて逐次算出し、それらを時間的に積分することによって蓄電装置の劣化度合いを推定する。そして、劣化度合いが大きくなった場合には、ユーザに対して充電前冷却制御を実行するように促す。
【００９９】
図１１は、実施の形態２に従う充電前冷却制御における電池劣化の推定手法を説明するための図である。図１１において、線Ｌ１０は、充電前冷却制御を毎回実行したと仮定した場合の容量維持率の変化を示しており、線Ｌ１１は、充電前冷却制御を全く実行しなかったと仮定した場合の容量維持率の変化を示している。すなわち、線Ｌ１０は劣化が最も抑制された場合に対応し、線Ｌ１１は劣化が最も進行した場合に対応する。
【０１００】
あるユーザが、時刻ｔ１までは充電前冷却制御を毎回行なっており、時刻ｔ１以降は充電前冷却制御を行なわなかった場合を考える。このとき、時刻ｔ１までは、線Ｌ１０に沿って劣化が進行していくが、時刻ｔ１以降は、線Ｌ１３のように劣化が急速に進んでいく。このとき、線Ｌ１０と線Ｌ１３との差が、図１０のテーブルから得られた容量維持率低下量ΔＡｈの累積値（ΣΔＡｈ）に対応する。
【０１０１】
この積分された容量維持率低下量ΣΔＡｈが、予め定められた判定値（線Ｌ１２）を下回る場合には、蓄電装置の劣化の度合いが大きいと判断されて、ユーザに対して充電前冷却制御の実行を促す通知がなされる。
【０１０２】
このようにすることによって、充電前冷却制御の非実行により過度に蓄電装置の劣化が進行してしまうことを抑制することができる。
【０１０３】
図１２は、実施の形態２に従う充電前冷却制御の概略処理を説明するためのフローチャートである。図１２は、実施の形態１における図３のフローチャートにステップＳ４０，Ｓ５０が追加されたものとなっている。図１２において、図３と重複するステップの詳細な説明については起繰り返さない。
【０１０４】
図１および図１２を参照して、外部充電処理（Ｓ３０）が完了すると、ＥＣＵ３００は、Ｓ４０にて、今回の充電処理において、充電前冷却制御が行なわれたか否かを判定する。
【０１０５】
充電前冷却制御が行なわれた場合（Ｓ４０にてＹＥＳ）は、冷却の非実行による劣化の進行はないとして処理が終了される。一方、充電前冷却制御が行なわれなかった場合（Ｓ４０にてＮＯ）は、処理がＳ５０に進められて、ＥＣＵ３００は、外部充電処理開始までの電池温度、ＳＯＣ、および放置時間から、容量維持率低下量の累積値（ΣΔＡｈ）を計算して記憶する。なお、個々の状態における容量維持率低下量（ΔＡｈ）については、充電前冷却制御が非実行とされている間に、たとえば所定に時間間隔ごとに逐次計算されるものとする。
【０１０６】
図１３は、図１２のステップＳ２０における充電前冷却処理を説明するためのフローチャートである。図１２においては、実施の形態１における図４のフローチャートに、ステップＳ３００が追加されたものとなっている。図１２において、図１４と重複するステップの詳細な説明については繰り返さない。また、ステップＳ２００の通知判定処理については、図５〜図７のバリエーションが適用可能である。
【０１０７】
図１３を参照して、ＥＣＵ３００は、Ｓ２０が実行されると、Ｓ３１０にて、図１２のステップＳ５０で計算された容量維持率低下量の累積値ΣΔＡｈを取得する。そして、ＥＣＵ３００は、Ｓ３２０にて、電池劣化が大きいか否かを判定する。具体的には、累積値ΣΔＡｈが、図１１で説明した所定の判定値を上回っているか否か、あるいは、満充電時のＳＯＣが所定値未満であるか否かを判定する。
【０１０８】
累積値ΣΔＡｈが判定値以下である場合でかつ満充電時ＳＯＣが所定値以上の場合、すなわち、電池の劣化進度がそれほど大きくない場合（Ｓ３２０にてＮＯ）は、処理がＳ３４０に進められ、ＥＣＵ３００は、ユーザへ通知するメッセージとして、たとえば「冷却を実施してもよろしいですか？」を選択し、Ｓ２００の通知判定処理へ処理を進める。通知が必要であると判定されると（Ｓ２２０にてＹＥＳ）、Ｓ３４０で選択されたメッセージがタッチパネル１９０に表示され（Ｓ２３０）る。その後、ユーザからの選択によって、充電前冷却制御が実行（Ｓ２６０）あるいは非実行（Ｓ２７０）にされる。
【０１０９】
通知が必要でないと判定されると（Ｓ２２０にてＮＯ）、ユーザへの通知はなされず（Ｓ２４０）、充電前冷却制御も実行されない（Ｓ２７０）。
【０１１０】
一方、Ｓ３２０にて、累積値ΣΔＡｈが判定値を上回っているか、または満充電時ＳＯＣが所定値未満であり、電池の劣化進度が大きいと判定されると（Ｓ３２０にてＹＥＳ）、処理がＳ３３０に進められ、ＥＣＵ３００は、ユーザへ通知するメッセージとして、たとえば「冷却することをおすすめします」というような冷却を促すメッセージを選択し、当該メッセージをタッチパネル１９０に表示する（Ｓ２３０）。その後、ユーザからの選択によって、充電前冷却制御が実行（Ｓ２６０）あるいは非実行（Ｓ２７０）にされる。
【０１１１】
なお、Ｓ３３０，Ｓ３４０におけるメッセージの内容は一例であり、類似の内容の他の表現を用いてもよく、さらに、電池劣化が大きい場合には、メッセージの表示とともに、チャイムやブザーなどの聴覚的なアラームを出力するようにしてもよい。
【０１１２】
このような処理に従って制御を行なうことによって、充電前冷却制御が非実行とされたことによる電池劣化を推定し、電池劣化の度合いが大きい場合には、ユーザに対して冷却を促すことができる。これによって、充電前冷却制御を望まないユーザに対する、充電前冷却制御の実行についての問合せ頻度を低減するとともに、蓄電装置の過度な劣化の進行を抑制することが可能となる。
【０１１３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１１４】
１００  車両、１０２  車室、１０３  冷却通路、１１０  蓄電装置、１１５  ＳＭＲ、１２０  ＰＣＵ、１３０，１３５  モータジェネレータ、１４０  動力伝達ギヤ、１５０  エンジン、１６０  駆動輪、１７０  空調装置、１８０  冷却ファン、１８５  冷却拒否スイッチ、１９０  タッチパネル、１９５  電池センサ、２１０  ＣＨＲ、、２２０  ＡＣ／ＤＣコンバータ、２３０  インレット、３００  ＥＣＵ、４００  充電ケーブル、４１０  プラグ、４２０  充電コネクタ、４３０  ケーブル部、５００  外部電源、５１０  コンセント、ＮＬ１，ＰＬ１  電力線。
【図１】
2016085804.tif 000003
【図２】
2016085804.tif 000004
【図３】
2016085804.tif 000005
【図４】
2016085804.tif 000006
【図５】
2016085804.tif 000007
【図６】
2016085804.tif 000008
【図７】
2016085804.tif 000009
【図８】
2016085804.tif 000010
【図９】
2016085804.tif 000011
【図１０】
2016085804.tif 000012
【図１１】
2016085804.tif 000013
【図１２】
2016085804.tif 000014
【図１３】
2016085804.tif 000015